(57)【要約】【課題】データ転送遅延時間を短縮するダイバシティ合成方法を得ること。【解決手段】本発明にかかるダイバシティ合成方法は、複数の伝送路のいずれかを介して受信した信号または複数の伝送路を介して受信した同一内容の信号を合成した信号を、所望信号として他の通信装置へ転送する場合のダイバシティ合成方法であって、たとえば、受信信号と同一内容の信号を保持している場合、当該受信信号と当該保持している信号とを合成する信号合成ステップと、信号合成ステップにおいて信号を合成した場合は合成信号の電力レベルと信号品質を判定するためのしきい値とを比較し、それ以外の場合は受信信号の電力レベルとしきい値とを比較し、比較対象信号の電力レベルがしきい値を超えている場合、比較対象信号とした信号を所望信号とする電力レベル判定ステップと、を含んでいる。【選択図】        図１
2007266752.tif 000002
【特許請求の範囲】
【請求項１】
複数の伝送路のいずれかを介して受信した信号または複数の伝送路を介して受信した同一内容の信号を合成した信号を、所望信号として他の通信装置へ転送する場合のダイバシティ合成方法であって、
受信信号と同一内容の信号を保持している場合、当該受信信号と当該保持している信号とを合成する信号合成ステップと、
前記信号合成ステップにおいて信号を合成した場合は当該合成信号の電力レベルと信号品質を判定するためのしきい値とを比較し、それ以外の場合は受信信号の電力レベルと当該しきい値とを比較し、比較対象信号の電力レベルがしきい値を超えている場合、当該比較対象信号とした信号を前記所望信号とする電力レベル判定ステップと、
を含むことを特徴とするダイバシティ合成方法。
【請求項２】
前記しきい値を、同等の信頼性を有する所望信号が得られるように、前記受信信号が取りうる特性に応じて決定した複数の電力しきい値とし、
前記電力レベル判定ステップでは、受信信号の特性に対応した前記電力しきい値を使用してレベル判定処理を行うことを特徴とする請求項１に記載のダイバシティ合成方法。
【請求項３】
前記しきい値を、誤り耐性強度の高い符号化方式の受信信号に対するレベル判定処理で使用するしきい値ほど低い値とする、複数の電力しきい値とすることを特徴とする請求項２に記載のダイバシティ合成方法。
【請求項４】
前記しきい値を、符号化率の高い受信信号に対するレベル判定処理で使用するしきい値ほど低い値とする、複数の電力しきい値とすることを特徴とする請求項２に記載のダイバシティ合成方法。
【請求項５】
前記しきい値を、システムに要求される信頼性が低い受信信号に対するレベル判定処理で使用するしきい値ほど低い値とする、複数の電力しきい値とすることを特徴とする請求項２に記載のダイバシティ合成方法。
【請求項６】
複数の伝送路のいずれかを介して受信した信号または複数の伝送路を介して受信した同一内容の信号を合成した信号を、所望信号として他の通信装置へ転送する通信装置であって、
受信信号と同一内容の信号を保持している場合、当該受信信号と当該保持している信号とを合成する信号合成手段と、
前記信号合成手段により合成された後の信号（合成信号）または受信信号を判定対象とし、当該判定対象とした信号を前記所望信号とするかどうかを判断するためのしきい値、を決定するしきい値決定手段と、
を備え、
前記信号合成手段は、信号を合成した場合は当該合成信号の電力レベルと前記しきい値とを比較し、それ以外の場合は受信信号の電力レベルと当該しきい値とを比較し、比較対象信号の電力レベルがしきい値を超えている場合、当該比較対象とした信号を前記所望信号として出力することを特徴とする通信装置。
【請求項７】
前記しきい値決定手段が、同等の信頼性を有する所望信号が得られるように、前記受信信号が取りうる特性に応じて、複数の電力しきい値を前記しきい値として決定し、
前記信号合成手段は、比較対象信号の特性に対応した電力しきい値を使用して、前記所望信号を生成する処理を行うことを特徴とする請求項６に記載の通信装置。
【請求項８】
前記しきい値決定手段が、誤り耐性強度の高い符号化方式の受信信号に対する所望信号生成処理で使用するしきい値ほど低い値とする、複数の電力しきい値を決定することを特徴とする請求項７に記載の通信装置。
【請求項９】
前記しきい値決定手段が、符号化率の高い符号化方式の受信信号に対する所望信号生成処理で使用するしきい値ほど低い値とする、複数の電力しきい値を決定することを特徴とする請求項７に記載の通信装置。
【請求項１０】
前記しきい値決定手段が、システムに要求される信頼性が低い受信信号に対する所望信号生成処理で使用するしきい値ほど低い値とする、複数の電力しきい値を決定することを特徴とする請求項７に記載の通信装置。
【発明の詳細な説明】
【技術分野】
【０００１】
本発明は、複数の経路で受信した信号を合成受信するダイバシティ合成方法に関するものであり、特に、受信信号の電力レベルに応じて合成対象とする信号数を適宜変更するダイバシティ合成方法および通信装置に関するものである。
【背景技術】
【０００２】
従来のダイバシティ合成方法の一例として、３ＧＰＰ（The  3rd  Generation  Partnership  Project）標準無線アクセスネットワーク（ＲＡＮ：Radio  Access  Network）によると、下記非特許文献１に示されているように、下りリンクでは、基地局（Node  B）から複数の無線リンクパスによりダイバシティ送信された信号を移動局が受信して合成する。一方、上りリンクでは、移動局から複数の無線リンクパスによりダイバシティ送信された信号を基地局または基地局制御装置（ＲＮＣ：Radio  Network  Controller）が受信して合成する。合成する際には無線リンクパスにおける受信電力が予め決められたしきい値を越える受信信号の中から受信電力の大きい順に、予め決められた数だけパス選択して（信号を選択して）合成する。
【０００３】
【非特許文献１】立川敬二監修「Ｗ−ＣＤＭＡ移動通信方式」丸善、２００２年３月１５日、p.63-68  b.サイトダイバーシチ（ソフト／ソフタハンドオーバ）
【発明の開示】
【発明が解決しようとする課題】
【０００４】
しかしながら、上記従来の３ＧＰＰ  ＲＡＮでは、ダイバシティ合成の際、必ず複数無線リンクパスからの受信信号を待って合成する。そのため、たとえば、ダイバシティ合成受信を行う必要が無いほど十分な電力レベルの信号を受信した場合であっても他の信号を受信するのを待って合成を行うので、この待合わせによりデータ転送に遅延が生じる、という問題点があった。
【０００５】
また、十分な電力レベルの信号を受信した場合であっても合成処理を行うので、この不要な合成処理による処理遅延が上記データ転送遅延を拡大させる、という問題もあった。
【０００６】
本発明は、上記に鑑みてなされたものであって、ダイバシティ合成の対象となる受信信号の誤り発生に対する耐久性やシステムに要求される受信信号の信頼性など、受信信号の特性に応じた合成処理を行うことにより、受信信号待合わせの最適化および処理の削減を図り、データ転送遅延時間を短縮するダイバシティ合成方法および通信装置を得ることを目的とする。
【課題を解決するための手段】
【０００７】
上述した課題を解決し、目的を達成するために、本発明にかかるダイバシティ合成方法は、複数の伝送路のいずれかを介して受信した信号または複数の伝送路を介して受信した同一内容の信号を合成した信号を、所望信号として他の通信装置へ転送する場合のダイバシティ合成方法であって、受信信号と同一内容の信号を保持している場合、当該受信信号と当該保持している信号とを合成する信号合成ステップと、前記信号合成ステップにおいて信号を合成した場合は当該合成信号の電力レベルと信号品質を判定するためのしきい値とを比較し、それ以外の場合は受信信号の電力レベルと当該しきい値とを比較し、比較対象信号の電力レベルがしきい値を超えている場合、当該比較対象信号とした信号を前記所望信号とする電力レベル判定ステップと、を含むことを特徴とする。
【発明の効果】
【０００８】
この発明によれば、複数の伝送路を介して同一の信号を受信する場合、受信信号の合計電力が規定のしきい値に達した時点で、それまでに受信した信号の合成信号を他の通信装置へ転送するので、しきい値に達した後に他の信号の受信を待つ必要が無くなり、転送遅延時間を短縮することができる、という効果を奏する。
【発明を実施するための最良の形態】
【０００９】
以下に、本発明にかかるダイバシティ合成方法および通信装置の実施の形態を図面に基づいて詳細に説明する。なお、この実施の形態によりこの発明が限定されるものではない。
【００１０】
実施の形態１．
図１は、本発明にかかるダイバシティ合成方法を実現する通信装置の実施の形態１の構成例を示す図である。この通信装置は、信号受信部１１−１〜１１−ｎと、信号合成部１２と、復調部１３と、誤り訂正部１４と、しきい値更新部１５と、を備える。また、信号合成部１２は、電力加算部２１およびしきい値保持部２２を含む。そして、この通信装置は、移動端末から送信された信号を信号受信部１１−１〜１１−ｎにて受信する。なお、図１は、当該通信装置が移動端末１０から送信された信号を受信する場合の例を示している。
【００１１】
ここで、３ＧＰＰのＲＡＮ（無線アクセスネットワーク）の場合を例に、ダイバシティ送受信動作について説明する。図２−１〜図２−３に示したように、ＲＡＮにおいてダイバシティ送信を行う場合、上り信号については、図２−１に示した第１の合成手順として、移動端末１０から複数の無線リンクパスを通って同一信号が同一の無線基地局（Node  B）２−１に送信され、無線基地局２−１が複数の受信信号を合成する。また、図２−２に示した第２の合成手順として、移動端末１０から複数の無線リンクパスを通って同一信号が異なる無線基地局（無線基地局２−１および２−２）に送信され、無線基地局制御装置（RNC）３が複数の受信信号を合成する。一方、下り信号については、図２−３に示したように、無線基地局（Node  B）３から複数の無線リンクパスを通って同一信号が移動端末１０に送信され、移動端末１０が複数の受信信号を合成する。なお、図示していないが、１つの無線基地局（たとえば無線基地局２−１）から複数の無線リンクパスを通って送信された信号を移動端末１０が合成する場合もある。
【００１２】
以上より、本発明にかかるダイバシティ合成方法および通信装置は、通信システムを構成する通信装置（上記３ＧＰＰのＲＡＮを構成する無線基地局制御装置、無線基地局および移動端末に相当する装置）に適用可能である。
【００１３】
つづいて、実施の形態１の通信装置が受信信号を合成し、合成後の信号を他の通信装置へ転送する動作を図１に基づいて説明する。信号の送信元通信装置である移動端末１０から送信された信号は、通信装置の信号受信部１１−１〜１１−ｎにより受信される。このとき、信号受信部１１−１〜１１−ｎと移動端末１０との距離（伝送経路）はそれぞれ異なるため、通信装置（信号受信部１１−１〜１１−ｎ）における信号受信時刻もそれぞれ異なる。
【００１４】
移動端末１０からの信号を受信すると、信号受信部１１−１〜１１−ｎは、受信信号の電力を測定し、測定結果を電力情報として受信信号とともに信号合成部１２に対して出力する。信号合成部１２は、信号受信部１１−１〜１１−ｎから受け取った電力情報および保持しているしきい値に基づいて、受け取った受信信号に対して信号合成処理（以後、ダイバシティ合成処理と呼ぶ。処理の詳細は後述する）を実行し、受信信号を合成する。なお、しきい値は、しきい値更新部１５により事前に更新（設定）され、しきい値保持部２２に保持されている。また、これ以降は、上記ダイバシティ合成処理の結果として得られた信号を受信合成信号と呼ぶ。しきい値決定手段に相当するしきい値更新部１５は、本発明にかかるダイバシティ合成方法が適用されるシステムにおいて使用される信号が取りうる特性（たとえば、誤り訂正符号化方法、符号化率、データの種類など）に基づいて、信号合成部１２が受信信号の特性に応じて選択的に使用するしきい値を決定する。
【００１５】
信号合成部１２から出力された受信合成信号は、復調部１３において復調され、復調後の受信合成信号は、誤り訂正部１４において誤り訂正が行われた後、他の通信装置に対して転送される。
【００１６】
つづいて、信号合成部１２が行うダイバシティ合成処理について説明する。上述したように、通信装置は、送信元の通信装置（図１に示した例では移動端末１０）から同一内容の信号をそれぞれ異なる時刻に受信する。そのため信号合成部１２は、同一信号を受信する毎に、電力加算部２１において受信信号の合成を行い、合成後の信号の電力が所望のレベル（たとえばシステムが要求する電力レベル）に達した時点でダイバシティ合成処理を終了し、その時点の合成信号を出力する。これにより、最初の信号の受信時刻と最後の信号の受信時刻との差（遅延時間）に依存する転送遅延時間の削減を図る。
【００１７】
具体的には、信号受信部１１−１〜１１−ｎのいずれかより受信信号およびその電力情報を受け取ると信号合成部１２は、それ以前に受け取った同一信号がある場合、保持していた合成電力情報（以前に受け取った受信信号の電力情報の合計値）と今回受け取った電力情報とを電力加算部２１にて合算し、更新後の合成電力情報として保持しておく。また、信号合成部１２は、保持していた合成信号（以前に受け取った複数の受信信号の合成信号）と今回受け取った受信信号とを合成し、保持しておく。これに対して、以前に受け取った同一信号が無い場合には、信号合成部１２は、受取った電力情報および受信信号をそのまま合成電力情報および合成信号として保持しておく。
【００１８】
次に、信号合成部１２は、保持している合成電力情報としきい値保持部２２が保持している信号品質を判定するためのしきい値とを比較する。そして、比較の結果、合成電力情報がしきい値を超えている場合には、合成信号の電力レベルが十分であると判断し、保持している合成信号を受信合成信号として復調部１３に対して出力する。これに対して、比較の結果、合成電力情報がしきい値以下である場合、信号受信部１１−１〜１１−ｎのいずれかより次の受信信号が渡されるのを待つ。そして、次の受信信号を受け取ると、上述した処理と同様の処理を実行する。以後、合成電力情報がしきい値を超えるまで同様の処理を継続し、受信合成信号を得る。
【００１９】
なお、上記しきい値は、合成する信号の特性（使用する変調方式、誤り符号化方式、データの種類や特性など）に応じて変更する。これは、異なる特性の信号同士が同等の信頼性を得るために必要な電力レベルが異なるためである。また、しきい値は、たとえば、この通信装置を３ＧＰＰ  ＲＡＮの通信装置に対して適用した場合、３ＧＰＰで標準化されているＮＢＡＰ（Node  B  Application  Part）、ＲＲＣ（Radio  Resource  Control）シグナリング機能の一部である更新機能を使用して、これらシグナリングで決定される符号化方法およびデータ特性に基づいて任意に変更できる。また、信号受信部は各送信元通信装置（移動端末）のセッション毎にユニークに割当てる。
【００２０】
また、上述したダイバシティ合成処理においては、受信信号を受け取る毎に信号合成部１２が受信信号を合成することとしたが、各受信信号を合成せずに保持しておき、電力換算部２１における電力加算結果がしきい値を超えた時点で、保持しておいた受信信号を合成することとしてもよい。
【００２１】
このように、本実施の形態においては、複数の伝送路を介して同一の信号を受信する場合、受信信号の合計電力が規定のしきい値に達した時点で、それまでに受信した信号の合成信号を他の通信装置へ転送することとした。これにより、合成処理の対象となる受信信号数を受信信号の状態（電力レベル）に基づいて決定するので、たとえば、受信状態が十分に良好な場合、他の信号の受信を待つ必要が無くなり、転送遅延時間を短縮することができる。また、転送処理を削減することができる。
【００２２】
また、信号の特性（使用する変調方式、誤り符号化方式、データ種類や特性など）に応じて、信号毎に異なるしきい値を割り当て、このしきい値に基づいて合成処理を行うこととしたので、合成する受信信号の特性によらず、同等の信頼性を有する合成信号を生成することができる。
【００２３】
また、たとえば上記移動端末のような信号転送を行わない装置における受信処理に本発明（ダイバシティ合成方法）を適用した場合、必要な数の受信信号だけについて合成を行えばよいので、処理遅延を抑えることができる。
【００２４】
実施の形態２．
つづいて、実施の形態２のダイバシティ合成方法について説明する。本実施の形態のダイバシティ合成方法を実現する通信装置の構成は、上述した実施の形態１と同様である。本実施の形態では、送信するセッションに適用される誤り符号化方式毎に異なるしきい値を割り当てて行うダイバシティ合成について図１、図３−１および図３−２を用いて説明する。
【００２５】
しきい値更新部１５は、送信するセッションに適用される誤り符号化方式毎に異なるしきい値を信号合成部１２へ割り当てる（信号合成部１２が使用するしきい値を決定する）。たとえば、誤り訂正強度の高いターボ符合化方式適用セッションの処理において信号合成部１２が使用するしきい値と畳み込み符合化方式適用セッションの処理において使用するしきい値とを別個に割り当て、ターボ符合化方式適用セッションの処理に使用するしきい値を、他方よりも低い値とする。
【００２６】
図３−１は、誤り符号化方式として畳み込み符号化方式を適用した場合の動作例を示している。なお、説明を簡単にするため、この例では伝送路が２つの場合について述べる。また、これ以降においても同様に伝送路が２つの場合について説明を行う。また、図３−１に示した例においては、信号受信部１１−１および１１−２における受信信号の電力情報（以下、単に「電力」と記載する）をそれぞれ“ａ１”および“ｂ１”とし、信号合成部１２に割り当てるしきい値を“ｃ１”とする。そして、電力としきい値は、「ｃ１＞ａ１」、「ｃ１＞ａ１＋ｂ１」の関係にあり、信号受信部１１−１が信号受信部１１−２よりも先に信号を受信するものとする。
【００２７】
この場合、信号合成部１２が信号受信部１１−１から受信信号（信号＃１とする）を受け取った時点では合成信号（＝信号＃１）の合成電力（＝ａ１）は、しきい値以下であるため、信号合成部１２は、次の受信信号が送られてくるのを待つ。その後、信号受信部１１−２から受信信号（信号＃２とする）を受け取り、合成電力（＝ａ１＋ｂ１）がしきい値を超えたと判断すると、信号合成部１２は、信号＃１と＃２とを合成して得られた信号を受信合成信号として出力する。
【００２８】
これに対して、図３−２は、誤り符号化方式としてターボ符合化方式を適用した場合の動作例を示している。この例においては、信号受信部１１−１および１１−２における受信信号の電力が図３−１の例と同様に、それぞれ“ａ１”および“ｂ１”とし、信号合成部１２に割り当てるしきい値を“ｄ１”とする。そして、電力としきい値は、「ｄ１＜ａ１」の関係にあり、信号受信部１１−１が信号受信部１１−２よりも先に信号を受信するものとする。
【００２９】
この場合、信号合成部１２が信号受信部１１−１から受信信号（信号＃３とする）を受け取った時点で合成信号（＝信号＃３）の合成電力（＝ａ１）がしきい値を超えているため、信号合成部１２は、次の受信信号が送られてくるのを待つことなく信号＃３を受信合成信号として出力する。
【００３０】
このように、本実施の形態においては、送信するセッションに適用される誤り符号化方式毎に異なるしきい値を割り当てて合成処理を行うこととした。これにより、仮に同じ電力の信号を受信した場合であっても、信号を転送するまでの時間を誤り訂正強度に応じて可変とすることができ、柔軟に転送遅延時間を短縮することができる。また、処理を削減することができる。
【００３１】
実施の形態３．
つづいて、実施の形態３のダイバシティ合成方法について説明する。本実施の形態のダイバシティ合成方法は、上述した実施の形態２の変形例であり送信するセッションに適用される誤り符号化方式のみが実施の形態２と異なる。本実施の形態では、送信するセッションに適用される誤り符号化方式が、ＬＤＰＣ（Low  Density  Parity  Check）符号化方式および畳み込み符合化方式の場合の動作について図１、図４−１および図４−２を用いて説明する。
【００３２】
しきい値更新部１５は、送信するセッションに適用される誤り符号化方式毎に異なるしきい値を信号合成部１２へ割り当てる。たとえば、誤り訂正強度の高いＬＤＰＣ符合化方式適用セッションの処理において使用するしきい値と畳み込み符合化方式適用セッションの処理において使用するしきい値とを別個に割り当て、ＬＤＰＣ符合化方式適用セッションの処理に使用するしきい値を、他方よりも低い値とする。
【００３３】
図４−１は、誤り符号化方式として畳み込み符号化方式を適用した場合の動作例を示している。この例においては、信号受信部１１−１および１１−２における受信信号の電力をそれぞれ“ａ２”および“ｂ２”とし、信号合成部１２に割り当てるしきい値を“ｃ２”とする。そして、電力としきい値は、「ｃ２＞ａ２」、「ｃ２＞ａ２＋ｂ２」の関係にあり、信号受信部１１−１が信号受信部１１−２よりも先に信号を受信するものとする。
【００３４】
この場合、信号合成部１２が信号受信部１１−１から受信信号（信号＃５とする）を受け取った時点では合成信号（＝信号＃５）の合成電力（＝ａ２）は、しきい値以下であるため、信号合成部１２は、次の受信信号が送られてくるのを待つ。その後、信号受信部１１−２から受信信号（信号＃６とする）を受け取り、合成電力（＝ａ２＋ｂ２）がしきい値を超えたと判断すると、信号合成部１２は、信号＃５と＃６とを合成して得られた信号を受信合成信号として出力する。
【００３５】
これに対して、図４−２は、ＬＤＰＣ符号化方式を適用した場合の動作例を示している。この例においては、信号受信部１１−１および１１−２における受信信号の電力が図４−１の例と同様に、それぞれ“ａ２”および“ｂ２”とし、信号合成部１２に割り当てるしきい値を“ｄ２”とする。そして、電力としきい値は、「ｄ２＜ａ２」の関係にあり、信号受信部１１−１が信号受信部１１−２よりも先に信号を受信するものとする。
【００３６】
この場合、信号合成部１２が信号受信部１１−１から受信信号（信号＃７とする）を受け取った時点で合成信号（＝信号＃７）の合成電力（＝ａ２）がしきい値を超えているため、信号合成部１２は、次の受信信号が送られてくるのを待つことなく信号＃７を受信合成信号として出力する。
【００３７】
このように、送信するセッションに適用される誤り符号化方式がＬＤＰＣ符号化方式および畳み込み符号化方式の場合であっても、上述した実施の形態２と同様の処理が実行され、同様の効果を得ることができる。また、処理を削減することができる。
【００３８】
実施の形態４．
つづいて、実施の形態４のダイバシティ合成方法について説明する。本実施の形態のダイバシティ合成方法を実現する通信装置の構成は、上述した実施の形態１と同様である。本実施の形態では、送信するセッションに適用される符号化率（誤り訂正符号化率）毎に異なるしきい値を割り当てて行うダイバシティ合成について図１、図５−１および図５−２を用いて説明する。
【００３９】
しきい値更新部１５は、送信するセッションに適用される符号化率毎に異なるしきい値を信号合成部１２へ割り当てる。たとえば、しきい値更新部１５は、符号化率１／２が適用されたセッションの処理において使用するしきい値と符号化率１／３が適用されたセッションの処理において使用するしきい値とを別個に割り当て、符号化率１／２が適用されたセッションの処理に使用するしきい値を、他方よりも低い値とする。
【００４０】
図５−１は、符号化率１／３を適用した場合の動作例を示している。この例においては、信号受信部１１−１および１１−２における受信信号の電力をそれぞれ“ａ３”および“ｂ３”とし、信号合成部１２に割り当てるしきい値を“ｃ３”とする。そして、電力としきい値は、「ｃ３＞ａ３」、「ｃ３＞ａ３＋ｂ３」の関係にあり、信号受信部１１−１が信号受信部１１−２よりも先に信号を受信するものとする。
【００４１】
この場合、信号合成部１２が信号受信部１１−１から受信信号（信号＃１１とする）を受け取った時点では合成信号（＝信号＃１１）の合成電力（＝ａ３）は、しきい値以下であるため、信号合成部１２は、次の受信信号が送られてくるのを待つ。その後、信号受信部１１−２から受信信号（信号＃１２とする）を受け取り、合成電力（＝ａ３＋ｂ３）がしきい値を超えたと判断すると、信号合成部１２は、信号＃１１と＃１２とを合成して得られた信号を受信合成信号として出力する。
【００４２】
これに対して、図５−２は、符号化率１／２を適用した場合の動作例を示している。この例においては、信号受信部１１−１および１１−２における受信信号の電力が図５−１の例と同様に、それぞれ“ａ３”および“ｂ３”とし、信号合成部１２に割り当てるしきい値を“ｄ３”とする。そして、電力としきい値は、「ｄ３＜ａ３」の関係にあり、信号受信部１１−１が信号受信部１１−２よりも先に信号を受信するものとする。
【００４３】
この場合、信号合成部１２が信号受信部１１−１から受信信号（信号＃１３とする）を受け取った時点で合成信号（＝信号＃１３）の合成電力（＝ａ３）がしきい値を超えているため、信号合成部１２は、次の受信信号が送られてくるのを待つことなく信号＃１３を受信合成信号として出力する。
【００４４】
このように、本実施の形態においては、送信するセッションに適用される誤り訂正符号化率毎に異なるしきい値を割り当てて合成処理を行うこととした。これにより、仮に同じ電力の信号を受信した場合であっても、信号を転送するまでの時間を誤り訂正符号化率に応じて可変とすることができ、柔軟に転送遅延時間を短縮することができる。また、処理を削減することができる。
【００４５】
実施の形態５．
つづいて、実施の形態５のダイバシティ合成方法について説明する。本実施の形態のダイバシティ合成方法を実現する通信装置の構成は、上述した実施の形態１と同様である。本実施の形態では、送信するセッションのデータ特性に応じて異なるしきい値を割り当てて行うダイバシティ合成について図１、図６−１および図６−２を用いて説明する。
【００４６】
しきい値更新部１５は、送信するセッションのデータ特性に応じて異なるしきい値を信号合成部１２へ割り当てる。たとえば、しきい値更新部１５は、上位レイヤで再送等を行わないため高信頼性を要求されるデータが適用されるセッションの処理において使用するしきい値と高信頼性を要求されないデータが適用されるセッションの処理において使用するしきい値とを別個に割り当て、高信頼性を要求されないデータが適用されるセッションの処理に使用するしきい値を、他方よりも低い値とする。
【００４７】
図６−１は、高信頼性を要求されるデータが適用されるセッションでのダイバシティ合成動作例を示している。この例においては、信号受信部１１−１および１１−２における受信信号の電力をそれぞれ“ａ４”および“ｂ４”とし、信号合成部１２に割り当てるしきい値を“ｃ４”とする。そして、電力としきい値は、「ｃ４＞ａ４」、「ｃ４＞ａ４＋ｂ４」の関係にあり、信号受信部１１−１が信号受信部１１−２よりも先に信号を受信するものとする。
【００４８】
この場合、信号合成部１２が信号受信部１１−１から受信信号（信号＃１５とする）を受け取った時点では合成信号（＝信号＃１５）の合成電力（＝ａ４）は、しきい値以下であるため、信号合成部１２は、次の受信信号が送られてくるのを待つ。その後、信号受信部１１−２から受信信号（信号＃１６とする）を受け取り、合成電力（＝ａ４＋ｂ４）がしきい値を超えたと判断すると、信号合成部１２は、信号＃１５と＃１６とを合成して得られた信号を受信合成信号として出力する。
【００４９】
これに対して、図６−２は、高信頼性を要求されないデータが適用されるセッションでのダイバシティ合成動作例を示している。この例においては、信号受信部１１−１および１１−２における受信信号の電力が図６−１の例と同様に、それぞれ“ａ４”および“ｂ４”とし、信号合成部１２に割り当てるしきい値を“ｄ４”とする。そして、電力としきい値は、「ｄ４＜ａ４」の関係にあり、信号受信部１１−１が信号受信部１１−２よりも先に信号を受信するものとする。
【００５０】
この場合、信号合成部１２が信号受信部１１−１から受信信号（信号＃１７とする）を受け取った時点で合成信号（＝信号＃１７）の合成電力（＝ａ４）がしきい値を超えているため、信号合成部１２は、次の受信信号が送られてくるのを待つことなく信号＃１７を受信合成信号として出力する。
【００５１】
このように、本実施の形態においては、送信するセッションのデータ特性（転送するデータが高信頼性を要求するものなのか、それともリアルタイム性を要求するものなのか、など）に応じて異なるしきい値を割り当てて合成処理を行うこととして、たとえば高信頼性を要求されるデータの転送（受信）を行う場合には、より高い電力の合成信号が得られるようにした。これにより、受信信号を転送するまでの時間をデータ特性に応じて可変とすることができ、柔軟に転送遅延時間を短縮することができる。また、処理を削減することができる。
【産業上の利用可能性】
【００５２】
以上のように、本発明にかかるダイバシティ合成方法および通信装置は、通信システムに有用であり、特に、受信信号を転送する場合の転送遅延時間を短縮するするダイバシティ合成方法および通信装置に適している。
【図面の簡単な説明】
【００５３】
【図１】本発明にかかるダイバシティ合成方法を実現する通信装置の実施の形態１の構成例を示す図である。
【図２−１】ダイバシティ送受信動作を説明するための図である。
【図２−２】ダイバシティ送受信動作を説明するための図である。
【図２−３】ダイバシティ送受信動作を説明するための図である。
【図３−１】実施の形態２のダイバシティ合成方法を説明するための図である。
【図３−２】実施の形態２のダイバシティ合成方法を説明するための図である。
【図４−１】実施の形態３のダイバシティ合成方法を説明するための図である。
【図４−２】実施の形態３のダイバシティ合成方法を説明するための図である。
【図５−１】実施の形態４のダイバシティ合成方法を説明するための図である。
【図５−２】実施の形態４のダイバシティ合成方法を説明するための図である。
【図６−１】実施の形態５のダイバシティ合成方法を説明するための図である。
【図６−２】実施の形態５のダイバシティ合成方法を説明するための図である。
【符号の説明】
【００５４】
２−１、２−２  無線基地局（Ｎｏｄｅ  Ｂ）
３  無線基地局制御装置（ＲＮＣ：Radio  Network  Controller）
１０  移動端末
１１−１、１１−２、１１−ｎ  信号受信部
１２  信号合成部
１３  復調部
１４  誤り訂正部
【図１】
2007266752.tif 000003
【図２−１】
2007266752.tif 000004
【図２−２】
2007266752.tif 000005
【図２−３】
2007266752.tif 000006
【図３−１】
2007266752.tif 000007
【図３−２】
2007266752.tif 000008
【図４−１】
2007266752.tif 000009
【図４−２】
2007266752.tif 000010
【図５−１】
2007266752.tif 000011
【図５−２】
2007266752.tif 000012
【図６−１】
2007266752.tif 000013
【図６−２】
2007266752.tif 000014